(57)【要約】
【課題】  電気掃除機の排気通過口を流れる空気を利用して殺菌性芳香剤を噴霧しょうとするものであって、エアゾール缶のガス圧力で起こる問題を解消するものである。
【解決手段】  電気掃除機２の排気側に貼着する可撓性シート１の排気路相当位置に排気通過口３を開孔すると共に、該排気通過口３に殺菌性芳香液を吸着した多孔質な通気性シート４を張着した電気掃除機用の殺菌性芳香剤放散シート。
【選択図】  図２
0003100989.tif 000002
【実用新案登録請求の範囲】
【請求項１】
電気掃除機（２）の排気側に貼着する可撓性シート（１）の排気路相当位置に排気通過口（３）を開孔すると共に、該排気通過口（３）に殺菌性芳香液を吸着した多孔質な通気性シート（４）を張着して構成した事を特徴する電気掃除機用殺菌性芳香剤放散シート
【考案の詳細な説明】
【考案の詳細な説明】
【技術分野】
【０００１】  本考案は、家庭や工場の事務室などで使用される電気掃除機から吹き出される空気（排気空気）の流れを利用し、殺菌性芳香剤を部屋または室内の床面に満遍なく散布する電気掃除機用殺菌性芳香剤放散シートに関するものである。
【背景技術】
【０００２】  室内を自由に飛び廻る蠅、蚊また走り廻るゴキブリやノミなどの虫、漂うカビの臭い、煙草の煙に混じった粘液（ヤニ）が家具類に付着し発する嫌な臭いを払拭するために、高圧ガス（ＬＰガス）にフタルスリンやレスメトリンなどの殺虫薬液あるいは植物抽出物や香料やエタノールなどの脱臭液を加えて充填した缶のノズルから噴霧する噴霧缶（エアゾール缶）が普及している。特に殺虫用エアゾール缶は、除虫菊を主材料にして棒状または渦巻き状に作った線香を焚いて立てる煙で蚊を殺すいわゆる香取線香に比べ、室内を飛び廻る蠅や蚊などに目掛けてノズルから噴霧すれば超微粒子の薬液が勢いよく霧状に散布されるため、殺虫範囲が広く、殺虫効率も高く、手軽さと便利さから広く使用されている。同様に脱臭用エアゾール缶も、脱臭すべき場所へ素早く持ち運び、脱臭量に対応して散布量が調整できる特長と即効性から重宝され、広く使用されている。
【考案が解決しようとする課題】
【０００３】  殺虫用にまた脱臭用にエアゾール缶を使用する事は、上記の様に多くの利点がある。その反面ではエアゾール缶は、高圧ガスを使用する製品であるため、無造作に取扱うと大きな危険を引き起こす問題があった。例えばエアゾール缶は、直射日光が当たる場所やストーブやファンヒーターなどの暖房器具やその他火炎に近い位置などの様、４０℃以上の高温になる場所や位置に放置すると、缶材の強度が膨脹するガス圧に耐えられず、破裂する危険性があった。また水回りや湿気の多い場所で長期間放置したりまた保管すると、缶材が腐食し、破裂する問題があった。またエアゾール缶を廃棄する際も、充填剤を完全に使い切って捨てる事や缶内に残ったガスを完全に抜いてから捨てるなど、細かい注意を払う必要があった。
【０００４】  本考案は、上記の様に殺菌性芳香剤を噴霧するエアゾール缶で起こる諸問題を解消する事を目的に殺菌性芳香剤の散布法について検討した結果、電気掃除機の排気口から高速度に流れる空気を利用する事によって殺菌性芳香剤が簡単に散布され、その目的が達成される事を知見した。
【課題を解決するための手段】
【０００５】  その要旨は、電気掃除機の排気側に貼着する台紙の排気路相当位置に排気通過口を開孔すると共に、該排気通過口に殺菌性芳香液を吸着した多孔質な通気性シートを張着した電気掃除機用の殺菌性芳香剤放散シートである。
【考案を実施するための最良の形態】
【０００６】  以下、本考案について図面を参照しながら、詳細に説明する。
図１は、本考案の殺菌性芳香剤放散シートの一実施例を、拡大斜視図で示す。図２は、本考案の殺菌性芳香剤放散シートを電気掃除機の排気側に貼着した場合の断面図を示す。図１において、１は可撓性シートである。可撓性シート１は、図２で示す様に電気掃除機２から排出される空気の排気側に貼着して使用するもので、紙や布その他合成樹脂紙などの様に曲げたり折ったりまた切ったりする事も容易なシート状のもので、電気掃除機２の排気側の片面に接着剤が塗り付けられている。また可撓性シート１の保管中は、接着剤が乾燥し貼着機能を損なわない様に、セロハン紙やその他の合成紙など使用時に剥離容易な乾燥防止用シートが貼り付けられ、さらに殺菌性芳香剤の効能を損なわない様に包装袋で完全密封されている。さらに電気掃除機２の排気側に貼着される可撓性シート１の排気路相当位置に適宜な大きさの排気通過口３を開孔すると共に、該排気通過口３にはその開孔を塞ぐ様に殺菌性芳香液を吸着した多孔質な通気性シート４が張着されている。本考案において通気性シート４は、綿布や柔らかく粗い織りの綿布（ガーゼ）や麻布など布繊維を一枚または２枚以上に重ね合わせたものの織糸空間や海綿状のスポンジ樹脂製品や不織布などに微細な通気用空間を設けた通気性のよいシートに殺菌性芳香液を吸着させ、かつ電気掃除機２から排気される空気の流動圧を利用して殺菌性芳香液とその香りを散布するシートである。また本考案において殺菌性芳香液には、前記した様に従来から使用されるフタルスリンなどの殺虫薬液やエタノールなどの脱臭液の他に、美しいバラの花を蒸留し冷やして凝縮したバラ水、このバラ水を再蒸留し上層の精油を掬い取ったバラ油、ラベンダーの花を水蒸気蒸留または溶剤抽出により採取したラベンダー油など殺虫芳香機能を有する植物抽出液などが使用される。すなわち本考案において、殺菌性芳香剤放散シートとは、多孔質な通気性シート４に殺菌性芳香液を吸着させ、電気掃除機の排気側に貼着して使用するものである。【０００７】  本考案は、通気性シート４に殺菌性芳香液を吸着させた殺菌性芳香剤放散シートを、保管する包装袋から取り出し図２で示す様に電気掃除機２の排気側に貼着して使用するもので、電気掃除機２の室内の埃や散らかったゴミを吸い取りながら清掃する通常の掃除をしながら、該電気掃除機２のゴミ収拾袋を通って排気される空気が排気通過口３を流れる際の空気の流動圧を利用して殺菌性芳香剤の噴霧液や香りを部屋または室内の床面に満遍なく散布しょうとするものである。掃除を終えた室内は、綺麗に一掃された環境の中で仄かな香りと新鮮な空気の香りを漂わせながら、快適な空間を気持ちよくまた楽しく時を過ごす事が出来る。
【考案の効果】
【０００８】  以上述べた様な本考案の殺菌性芳香剤放散シートによれば、高圧ガスを使用するエアゾール缶の様に缶の破裂に脅えながら殺菌性芳香液を散布する事もなく、散布し終わった後は簡単にゴミ籠に投げ捨てられる特長もある。特に本考案では、電気掃除機によって絨毯や畳の縁に生存するダニを吸い込みながら掃除をするため、絨毯などの表面にへばり着いて吸い込みから逃れたダニも殺菌性芳香液の散布で効率的に死滅させる特長がある。また電気掃除機に内蔵するゴミ収納袋に吸い込まれ生き延びるダニも、散布し再び吸引された殺菌性芳香剤によって完全に死滅される。
【図面の簡単な説明】
【図１】  本考案の殺菌性芳香剤放散シートの一実施例を、拡大斜視図で示す。
【図２】  本考案の殺菌性芳香剤放散シートを電気掃除機の排気側に貼着して使用する場合の部分断面図を示す。
【符号の説明】
１  可撓性シート
２  電気掃除機
３  排気通過口
４  通気性シート
【図１】
0003100989.tif 000003
【図２】
0003100989.tif 000004